(57)【特許請求の範囲】
【請求項１】
電線を絶縁カバーするための、ヒンジタイプの電線絶縁カバーであって、
ヒンジにより連結された２つ割れのカバー本体部の長手方向の端部の一方に複数のカバー封止用のホックを、他方は前記カバー封止用の同複数のホック孔をそれぞれ有し、
前記２つ割れのカバー本体部のいずれか一方のカバー本体部の内側には、前記電線を固定するためのＣ型の被覆固定用リブを有し、
前記Ｃ型の被覆固定用リブの内側は、押し付けられて前記電線を把持する複数の山形形状部と、前記電線の電線ヒレが嵌合する複数のヒレ嵌合溝とを有し、
前記被覆固定用リブの内側の前記山形形状部が、前記電線に押し付けられて前記電線を把持することにより横ズレを防止し、前記ヒレ嵌合溝に前記電線ヒレが嵌合することにより回転を防止することを特徴とする電線絶縁カバー。
【請求項２】
前記Ｃ型の被覆固定用リブは、Ｃ型の中央部に１つの前記ヒレ嵌合溝と、該中央部に対し対称に４５度ずつズレて成る複数の前記ヒレ嵌合溝とを有し、且つ、前記Ｃ型の中央部に位置する前記カバー本体部の外側には、間接活線工具の位置決めのための台座と位置決めリブを有することを特徴とする請求項１に記載の電線絶縁カバー。
【発明の詳細な説明】
【技術分野】
【０００１】
本発明は、電線を絶縁カバーするための、ヒンジタイプの電線絶縁カバーに係り、詳しくは、電線被覆の剥ぎ取り部の有無に関わり無く、電線絶縁カバーの横ずれと回転を防止する電線絶縁カバーに関する。
【背景技術】
【０００２】
図３〜図５は、従来の電線絶縁カバーの構成を示す構成図である。
図３ａにおいて、従来の電線絶縁カバー２００−１は、２つ割れのカバー本体部１０がヒンジ１２により結合されて開閉を自在に行うことができる。また、２つ割れのカバー本体部１０の一方の長手方向の端部はカバー封止用のホック１４を、２つ割れのカバー本体部の他方の長手方向の端部はカバー封止用のホック孔１６をそれぞれ有し、このホック１４とホック孔１６により、２つ割れのカバー本体部１０が閉じられて固定される。また、カバー本体部１０の内側には、押し付けられて電線を固定する２組の横ズレ防止リブ６０を有している。図３ｂにおいて、２つ割れのカバー本体部１０が閉じられ、電線の導体部３０と絶縁部３２との境界で、横ズレ防止リブ６０の片側端部が絶縁部３２に接触し、且つ、導体部３０を押し付けることで横ズレを防止している。
【０００３】
図４ａにおいて、従来の電線絶縁カバー２００−２は、２つ割れのカバー本体部１０がヒンジ１２により結合されて開閉を自在に行うことができる。また、２つ割れのカバー本体部１０の一方の長手方向の端部はカバー封止用のホック１４を、２つ割れのカバー本体部の他方の長手方向の端部はカバー封止用のホック孔１６をそれぞれ有し、このホック１４とホック孔１６により、２つ割れのカバー本体部１０が閉じられて固定される。端部にカバー封止用のホック１４を有する側のカバー本体部１０の内側には、差し込まれて電線（図示せず）を固定する２組の横ズレ防止フック７０を有している。図４ｂにおいて、２つ割れのカバー本体部１０が閉じられ、電線の導体部３０と絶縁部３２との境界で、横ズレ防止フック７０の片側端部が絶縁部３２に接触して導体部３０を把持し、横ズレを防止している。
【０００４】
図５ａにおいて、従来の電線絶縁カバー２００−３は、２つ割れのカバー本体部１０がヒンジ１２により結合されて開閉を自在に行うことができる。また、２つ割れのカバー本体部１０の一方の長手方向の端部はカバー封止用のホック１４を、２つ割れのカバー本体部の他方の長手方向の端部はカバー封止用のホック孔１６をそれぞれ有し、このホック１４とホック孔１６により、２つ割れのカバー本体部１０が閉じられて固定される。カバー本体部１０の内側には、接着して電線を固定する２組の横ズレ防止粘着テープ８０を有している。図５ｂにおいて、２つ割れのカバー本体部１０が閉じられ、横ズレ防止粘着テープ８０が電線の絶縁部３２に接着して電線を固定し、横ズレを防止している。
【０００５】
ところが、これらの電線絶縁カバー２００−１〜３は、電線被覆を剥ぎ取らない貫通型の設置クランプに使用することができないという問題があった。また、粘着層を設けた構造の電線絶縁カバー２００−３においては、雨天作業ができない、且つ、再利用ができないなどの問題があった。
【０００６】
特許文献１には、２つ割れのカバー本体部１０−１、２のいずれか一方の内側には、電線の絶縁被覆が部分的に除去された箇所の両側の絶縁被覆の切断部５５−１、２の片側にそれぞれ独立して嵌合する２組の横ズレ防止用のフック２０−１を含み、２組の横ズレ防止用のフック２０−１の各組は、２つの支持部２３から構成され、２つの支持部２３の各々は、絶縁被覆の切断部５５−１、２に嵌合する嵌合部２５と、絶縁被覆が部分的に除去された導体部５０の外径に対し自在に適合し把持する内面溝２７を具備し、各組の２つの支持部２３は、嵌合部２５が互いに絶縁被覆の切断部５５−１、２の片側に嵌合し、内面溝２７が互いに導体部５０を把持する位置に、２つ割れのカバー本体部１０−２の内側の長手方向の中心線に対向して設置される、旨の記載がある。
【先行技術文献】
【特許文献】
【０００７】
【特許文献１】特開２０１１−１３５６４８号公報
【発明の概要】
【発明が解決しようとする課題】
【０００８】
本発明は、このような問題を解決するためになされたものであり、その目的は、電線被覆の剥ぎ取り部の有無に関わり無く、電線絶縁カバーの横ずれと回転を防止する電線絶縁カバーを提供する。
【課題を解決するための手段】
【０００９】
本発明の電線絶縁カバーは、電線を絶縁カバーするための、ヒンジタイプの電線絶縁カバーであって、ヒンジにより連結された２つ割れのカバー本体部の長手方向の端部の一方に複数のカバー封止用のホックを、他方はカバー封止用の同複数のホック孔をそれぞれ有し、２つ割れのカバー本体部のいずれか一方のカバー本体部の内側には、電線を固定するためのＣ型の被覆固定用リブを有し、Ｃ型の被覆固定用リブの内側は、押し付けられて電線を把持する複数の山形形状部と、電線の電線ヒレが嵌合する複数のヒレ嵌合溝とを有し、被覆固定用リブの内側の山形形状部が、電線に押し付けられて電線を把持することにより横ズレを防止し、ヒレ嵌合溝に電線ヒレが嵌合することにより回転を防止することを特徴とする。
【００１０】
本発明の電線絶縁カバーのＣ型の被覆固定用リブは、Ｃ型の中央部に１つのヒレ嵌合溝と、該中央部に対し対称に４５度ずつズレて成る複数のヒレ嵌合溝とを有し、且つ、Ｃ型の中央部に位置するカバー本体部の外側には、間接活線工具の位置決めのための台座と位置決めリブを有することを特徴とする。
【発明の効果】
【００１１】
本発明によれば、電線被覆の剥ぎ取り部の有無に関わり無く、電線絶縁カバーの横ずれと回転を防止する電線絶縁カバーを提供することができる。
【図面の簡単な説明】
【００１２】
【図１】本発明による電線絶縁カバーの構成を示す構成図。
【図２】本発明による電線絶縁カバーの設置を示す設置工法図。
【図３】従来の電線絶縁カバーの構成を示す第１の構成図。
【図４】従来の電線絶縁カバーの構成を示す第２の構成図。
【図５】従来の電線絶縁カバーの構成を示す第３の構成図。
【発明を実施するための形態】
【実施例】
【００１３】
本発明の実施の形態について、図を用いて説明する。図１は、本発明による電線絶縁カバーの構成を示す構成図である。図１における電線絶縁カバー１００のカバー本体部１０は図３−５と同様であるため、説明を省略する。図１において、２つ割れのカバー本体部１０のいずれか一方のカバー本体部の内側には、電線を固定するためのＣ型の被覆固定用リブ２０が、リブ固定部２２を介して固定されている。
【００１４】
Ｃ型の被覆固定用リブ２０の内側は、押し付けられて電線を把持する複数の山形形状部２６と、電線の電線ヒレ（図２参照）が嵌合する複数のヒレ嵌合溝２５とを有している。当該ヒレ嵌合溝２５は、Ｃ型の被覆固定用リブ２０の中央部に１つのと、該中央部に対し対称に４５度ずつズレて成る３対のヒレ嵌合溝２５とを有している。
【００１５】
また、Ｃ型の中央部に位置するカバー本体部１０の外側には、間接活線工具（図２参照）の位置決めのための台座２３と位置決めリブ２４を有する。Ｃ型の被覆固定用リブ２０の内側の山形形状部２６が、電線に押し付けられて電線を把持することにより横ズレを防止し、ヒレ嵌合溝２５に電線ヒレが嵌合することにより回転を防止する。この電線絶縁カバー１００は、カバー本体部１０、Ｃ型の被覆固定用リブ２０、リブ固定部２２、及び台座２３と位置決めリブ２４が一体射出形成（モールド）されることにより形成されている。
【００１６】
図２は、本発明による電線絶縁カバーの設置を示す設置工法図である。図２ａにおいて、カバー本体部１０のＣ型の被覆固定用リブ２０の開口部に電線が誘導されると、間接活線工具であるヤットコ４０の一方が、台座２３にあてがわれ、位置決めリブ２４の位置で位置決めされる。またヤットコ４０のもう一方は、一方の電線ヒレ３４の位置にあてがわれている。
【００１７】
図２ｂにおいて、ヤットコ４０が矢印方向に閉じることによりＣ型の被覆固定用リブ２０が押し開かれて、電線がＣ型内に押込まれ、もう一方の電線ヒレ３４が、Ｃ型の被覆固定用リブ２０の中央部のヒレ嵌合溝２５に嵌合する。また、Ｃ型が元の形状に戻る力により、Ｃ型の内側の山形形状部２６が、電線の絶縁部３２に押し付けられて電線を把持する。
【００１８】
図２ｃにおいて、フック工具５０が開放されたカバー本体部１０に掛けられ、カバーを閉じるために矢印方向に引き戻される。図２ｄにおいて、２つ割れのカバー本体部１０が合わされると、ヤットコ４０が、台座２３にあてがわれ、位置決めリブ２４の位置で位置決めされ、矢印方向に閉じることにより、複数のカバー封止用のホック１４が、カバー封止用のホック孔１６にそれぞれ嵌め込まれ、カバー本体部１０が固定される。
【００１９】
ホックを締めるまでの間、回転が生じなければ良いため、電線絶縁カバー１００の設置作業において必ずしもこの位置を保つ必要は無い。すなわち、カバーの設置作業中に、Ｃ型の被覆固定用リブ２０のヒレ嵌合溝２５のいずれかに嵌合すればよく、またヒレ嵌合溝２５と嵌合しなかった場合でも、電線ヒレ３４は山形形状部２６の谷部と嵌合するため、回転は防止される。
【００２０】
以上説明したように本発明によれば、電線被覆の剥ぎ取り部の有無に関わり無く、電線絶縁カバーの横ずれと回転を防止する電線絶縁カバーを提供することができる。
【符号の説明】
【００２１】
１０  カバー本体部
１２  ヒンジ
１４  ホック
１６  ホック孔
２０  Ｃ型の被覆固定用リブ
２２  リブ固定部
２３  台座
２４  位置決めリブ
３０  電線の導体部
３２  絶縁部
３４  電線ヒレ
４０  ヤットコ（間接活線工具）
５０  フック工具
６０  横ズレ防止リブ
７０  横ズレ防止フック
８０  横ズレ防止粘着テープ
１００  本発明による絶縁電線カバー
２００−１〜３  従来の電線絶縁カバー
【図１】
0005541467.tif 000002
【図２】
0005541467.tif 000003
【図３】
0005541467.tif 000004
【図４】
0005541467.tif 000005
【図５】
0005541467.tif 000006